(57)【特許請求の範囲】
【請求項１】
板状の導光板と、前記導光板の側面へ光を照射する光源と、前記導光板の表面側に配置された表示板とを備え、前記導光板の裏面に、前記光源からの光を前記導光板の表面側へ反射させる反射パターンが形成されるとともに、前記導光板の表裏が逆向きに取り付けられている場合に、前記光源からの光を遮ることにより、前記導光板の表裏が逆向きであることを表示させる表示パターンが、前記導光板の裏面に形成され、
前記反射パターンは、前記光源から離れるに従って面積が大きく形成されるとともに、前記表示パターンは、前記光源から遠い領域に形成されてなることを特徴とする表示灯。
【発明の詳細な説明】
【技術分野】
【０００１】
本発明は、導光板を用いた表示灯に関するものである。
【背景技術】
【０００２】
従来から、導光板を用いた表示灯として、例えば、図３に示すような表示灯が提案されている（特許文献１参照）。
【０００３】
図３に示した構成の表示灯は、誘導灯として用いられるものであり、人物を模したピクトグラム（図示せず）が表面に形成された矩形板状の表示板３１と、表示板３１の裏面側に配置され、直管型の蛍光ランプ（図示せず）を具備する４つの光源ブロック３５からの光を表示板３１の裏面に照射する矩形板状の導光板３２とを備えている。なお、光源ブロック３５は、導光板３２の４つの側面それぞれに沿って配置されており、導光板３２の裏面側には、各光源ブロック３５からの光を当該導光板３２の表面側へ反射させる反射板（図示せず）が配置されている。また、上述の表示灯は、表面が開口する矩形箱状の灯具本体３０と、表示板３１の表面を露出させる形で表示板３１を保持し、灯具本体３０に取着される枠体３４とを備えている。さらに、灯具本体３０には、各光源ブロック３５の上記蛍光ランプを点灯させる点灯回路および上記点灯回路を制御する制御回路を具備する点灯制御ユニット３３などが収納されている。
【０００４】
また、従来から、表示灯などに用いられる導光板としては、裏面に、ランプからの光を当該導光板の表面側へ反射させるドット状の反射パターン（ドットパターン）が印刷されたものが知られている（例えば、特許文献２参照）。さらに、この反射パターンは、ランプからの光を表示板の裏面に均一に照射させるために、ランプから離れるに従って密度が高く形成されることが一般的である（例えば、特許文献３参照）。
【先行技術文献】
【特許文献】
【０００５】
【特許文献１】特開２００９−２８９６８２号公報
【特許文献２】特開平７−１８２９０９号公報
【特許文献３】特開平１０−１６０９３８号公報
【発明の概要】
【発明が解決しようとする課題】
【０００６】
ところで、図３に示した表示灯に、上記特許文献２に記載された技術を適用したとすれば、導光板３２の裏面側に配置された上記反射板が不要になる。しかしながら、導光板３２の表裏が逆向きに取り付けられている場合、各光源ブロック３５からの光が、上記反射パターンによって、表示板３１側とは反対側に照射する。したがって、表示板３１の裏面に、各光源ブロック３５からの光が均一に照射されなかったり、各光源ブロック３５からの光が十分に照射されなかったりして、表示板３１の視認性が低下することが懸念される。
【０００７】
また、図３に示した表示灯に、上記特許文献２に記載された技術を適用したものは、導光板３２の表裏が逆向きに取り付けられている場合、例えば、施工業者が、施工時に導光板３２の表裏が逆向きに取り付けられていることに気付き難いため、施工後にそのまま放置される可能性がある。ここで、この表示灯の導光板３２に、導光板３２の表裏が逆向きに取り付けられることを防止する逆組み防止用の構造などを設けることが考えられるが、コストアップの要因となる。
【０００８】
本発明は上記事由に鑑みて為されたものであり、その目的は、導光板の表裏が逆向きに取り付けられたままとなることを防止することが可能な表示灯を提供することにある。
【課題を解決するための手段】
【０００９】
本発明の表示灯は、板状の導光板と、前記導光板の側面へ光を照射する光源と、前記導光板の表面側に配置された表示板とを備え、前記導光板の裏面に、前記光源からの光を前記導光板の表面側へ反射させる反射パターンが形成されるとともに、前記導光板の表裏が逆向きに取り付けられている場合に、前記光源からの光を遮ることにより、前記導光板の表裏が逆向きであることを表示させる表示パターンが、前記導光板の裏面に形成され、前記反射パターンは、前記光源から離れるに従って面積が大きく形成されるとともに、前記表示パターンは、前記光源から遠い領域に形成されてなることを特徴とする。
【発明の効果】
【００１１】
本発明の表示灯においては、導光板の表裏が逆向きに取り付けられたままとなることを防止することが可能であるという効果がある。
【図面の簡単な説明】
【００１２】
【図１】実施形態の表示灯を示し、（ａ）は概略断面図、（ｂ）は導光板の裏面側を示す平面図、（ｃ）は導光板の表裏が逆向きに取り付けられている場合における概略断面図である。
【図２】同上の実施例の表示灯を示す分解斜視図である。
【図３】従来例を示す表示灯の分解斜視図である。
【発明を実施するための形態】
【００１３】
以下、本実施形態の表示灯について、図１および図２を参照しながら説明する。
【００１４】
本実施形態の表示灯は、矩形板状の表示板３と、表示板３の裏面側（図１（ａ）では、下側）に配置され、直管型の冷陰極蛍光ランプからなる光源１３を具備する２つの光源ブロック１４からの光を表示板３の裏面に照射させる矩形板状の導光板８とを備えている。なお、光源ブロック１４は、導光板８の左右方向における両端側にそれぞれ配置されている。また、光源１３は、冷陰極蛍光ランプに限らず、例えば複数個のＬＥＤであってもよい。
【００１５】
表示板３は、例えば合成樹脂からなる成形品である。なお、本実施形態の表示灯は、避難誘導用の標識として用いられ、表示板３の表面に、避難方向を指し示す矢印や人物を模したピクトグラム（図示せず）が形成されている。
【００１６】
導光板８は、例えば透明はアクリル樹脂からなる成形品であって、表示板３の外形寸法と略同じ寸法で形成されている。また、導光板８の裏面には、各光源ブロック１４からの光を導光板８の表面側へ反射させる反射パターン１７が形成されている。この反射パターン１７は、円形状に形成されており、各光源ブロック１４からの光を表示板３の裏面に均一に照射させるために、光源ブロック１４から離れるに従って面積が大きく形成され、光源ブロック１４に近づくに従って面積が小さく形成されている。したがって、本実施形態の表示灯は、各光源ブロック１４からの光を表示板３の裏面に均一に照射させるので、表示板３の視認性を高めることが可能となる。なお、反射パターン１７は、円形状に形成されているが、この形状に限らず、例えば矩形状などであってもよい。また、反射パターン１７は、例えば、小さなドット形状の集まりで構成されてもよい。
【００１７】
また、導光板８は、導光板８の裏面側の中央部に、導光板８の表裏が逆向きであることを示す表示パターンＱが形成されている。この表示パターンＱは、面積が大きく形成されており、反射パターン１７と同様に、各光源ブロック１４からの光を導光板８の表面側へ反射させる。なお、表示パターンＱは、導光板８の裏面側の中央部に、文字（「ＮＧ」）が印刷されているが、ドット状の反射パターン１７の集まりにより文字を構成してもよい。
【００１８】
ここで、上述の表示灯は、図１（ｃ）に示すように、導光板８の表裏が逆向きに取り付けられている場合、導光板８の裏面側の中央部に形成された表示パターンＱと表示板３との距離が近くなるため、光源ブロック１４の光源１３が点灯している時に、表示パターンＱが各光源ブロック１４からの光を遮ることにより、表示パターンＱの影９が表示板３に映し出される。したがって、導光板８の表裏が逆向きに取り付けられている場合、光源ブロック１４の光源１３が点灯している時に、例えば、作業者は、表示板３に映し出された表示パターンＱの影９によって、導光板８の表裏が逆向きに取り付けられていることを視認することが可能となる。なお、上述の表示灯は、光源ブロック１４の光源１３が点灯している時に、反射パターン１７が各光源ブロック１４からの光を遮ることにより、反射パターン１７の影１２が表示板３に映し出される。
【００１９】
ここにおいて、上述の表示灯は、導光板８の表裏が正しく取り付けられている場合、導光板８の裏面側の中央部に、反射パターン１７と表示パターンＱとが形成されているため、表示板３の裏面側の中央部に照射される光量が増え、各光源ブロック１４からの光を表示板３の裏面に均一に照射させることが困難となることが懸念される。しかしながら、上述の表示灯は、反射パターン１７および表示パターンＱと表示板３との間に導光板８があるため、反射パターン１７や表示パターンＱから反射した光は、表示板３の裏面に達するまでに拡散される。
【００２０】
以下、上述の表示灯の一実施例について、図２に基づいて説明する。なお、表示板３、導光板８および光源ブロック１４は、図１に示したものと同じなので、同様の構成要素には同一の符号を付して説明を適宜省略する。
【００２１】
図２に示す実施例の表示灯は、壁面や床面などの造営面に埋め込み配置され、避難誘導用の標識として用いられる。この表示灯は、表面が開口する矩形箱状の灯具本体１と、灯具本体１の表面側（図２では、上側）に取着される枠体２とを備え、灯具本体１と枠体２との間に、表示板３、光源ブロック１４、導光板８が配置される。なお、光源ブロック１４および導光板８は、灯具本体１と表示板３との間に配置された矩形状の光源ユニット５に取り付けられる。また、灯具本体１は、造営面に埋め込み配置された矩形箱状の埋込ボックス（図示せず）に収納される。
【００２２】
また、実施例の表示灯は、枠体２と表示板３との間に、表示板３を保護する矩形板状の保護カバー４が配置されており、枠体２と保護カバー４との間に、防水のために用いられる矩形枠状のパッキン７が配置されている。さらに、光源ユニット５と灯具本体１との間に、停電時において各光源ブロック１４の光源１３に電力を供給する蓄電池１１などが収納されたベースユニット１０が配置されている。
【００２３】
灯具本体１は、例えばステンレス製であって、灯具本体１の表面の開口縁から灯具本体１の左右方向および上記左右方向に直交する方向に、鍔部１ａが延設されており、鍔部１ａに、枠体２を固定する第１の固定ねじ２１を螺合させる複数個（図２では、６個）の第１のねじ孔１ｂが貫設されている。また、灯具本体１は、灯具本体１の底部１ｃに、この灯具本体１を上記埋込ボックスに固定する第２の固定ねじ２２を挿通する第２のねじ孔１ｄが貫設されている。
【００２４】
枠体２は、例えばステンレス製であって、中央部に矩形状の開口部２ａを有し、矩形枠状に形成されている。また、枠体２の外周部には、灯具本体１の第１のねじ孔１ｂに対応する位置に、第１の固定ねじ２１を挿通する複数個（図２では、６個）の第３のねじ孔２ｂが貫設されている。
【００２５】
パッキン７は、例えば合成樹脂からなる成形品であって、中央部に枠体２の開口部２ａと略同じ寸法の開口部７ａを有し、枠体２と略同じ外形寸法で形成されている。また、パッキン７の外周部は、灯具本体１の第１のねじ孔１ｂに対応する位置に、第１の固定ねじ２１を挿通する複数個（図２では、６個）の第４のねじ孔７ｂが貫設されている。
【００２６】
保護カバー４は、例えば透明な強化ガラスであって、矩形板状の第１のカバー４ａおよび第２のカバー４ｂの二重構造に形成され、第２のカバー４ｂは、第１のカバー４ａよりも平面積が大きく形成されている。また、第１のカバー４ａの外形寸法は、枠体２の開口部２ａの開口寸法と略同じ寸法に設定されており、組み立て時において、第１のカバー４ａの表面が、パッキン７の開口部７ａおよび枠体２の開口部２ａを通して造営面側（図２では、上側）に露出される。
【００２７】
光源ユニット５は、導光板８の左右方向における両端側に、光源ブロック１４がそれぞれ配置されており、各光源ブロック１４から照射された光が、上記左右方向における両端側から導光板８の内部を透過して、表示板３の裏面に照射される。
【００２８】
ベースユニット１０は、表面が開口する矩形箱状であって、蓄電池１１と、各光源ブロック１４の光源１３を点灯させる点灯回路部１５と、蓄電池１１や点灯回路部１５などに電力を供給する電源回路部１６と、蓄電池１１の充電状態および光源ブロック１４の動作状態を表示するＬＥＤからなる発光素子６を具備したモニターユニット５とが収納されている。
【００２９】
以下に、実施例の表示灯の組み立て手順を説明する。なお、各光源ブロック１４および導光板８は予め光源ユニット５に取り付けられ、蓄電池１１、点灯回路部１５、電源回路部１６およびモニターユニット５は、予めベースユニット１０に収納されているものとして説明する。また、図示しない電線は、光源ブロック１４、蓄電池１１、点灯回路部１５、電源回路部１６、モニターユニット５に予め接続されているものとして説明する。
【００３０】
まず、作業者が、上記埋込ボックス内に、灯具本体１を収納して、第２の固定ねじ２２で灯具本体１を上記埋込ボックスに固定する。次に、上記埋込ボックスの側壁に形成された第１の電線孔（図示せず）を通して外部から電源を供給する電源線（図示せず）を、灯具本体１の側壁に形成された第２の電線孔（図示せず）に通して灯具本体１内に導入する。さらに、ベースユニット１０を灯具本体１内に収納した後、上記電源線を電源回路部１６の入力部（図示せず）に接続し、ベースユニット１０の前方に、光源ユニット５、表示板３、保護カバー４を順番に積層して配置する。最後に、保護カバー４の前方に、パッキン７、枠体２を順番に積層し、各第３のねじ孔２ｂおよび各第４のねじ孔７ｂに挿通した各第１の固定ねじ２１を、灯具本体１の各第１のねじ孔１ｂに螺合することにより、実施例の表示灯の組み立てが完了する。
【００３１】
以上説明した本実施形態の表示灯では、導光板８の表裏が逆向きに取り付けられている場合、光源ブロック１４の光源１３が点灯している時に、表示板３に映し出された表示パターンＱの影９によって、導光板８の表裏が逆向きであることを視認することができるので、導光板の表裏が逆向きに取り付けられたままとなることを防止することが可能である。
【符号の説明】
【００３２】
３  表示板
８  導光板
１３  光源
１７  反射パターン
Ｑ  表示パターン
【図１】
0005576724.tif 000002
【図２】
0005576724.tif 000003
【図３】
0005576724.tif 000004